(57)【要約】      （修正有）【課題】パイプ容器の壁面に係合し、液体をすべて一定方向から通過させると共に、食材の収容を可能とした食材ケースを提供する。【解決手段】食材ケースは、上部開口部２に上部フィルタ３が設けられ、下部開口部５に下部フィルタ８が設けられているパイプ１を備えている。剛性構造体であり、パイプは容器内壁の形状に応じて設計して、パイプは容器内壁に係合させることができる。パイプ内を高温で流動する液体が通過したとき、液体のすべてがフィルタを通過させるようにすることができ、フィルタの間の食材は十分に、そして完全に煮出しが行われて、有効成分を抽出することができる。【選択図】図１
0003157538.tif 000002
【実用新案登録請求の範囲】
【請求項１】
食材ケースであって、上部開口部（２）に上部フィルタ（３）が設けられ、下部開口部（５）に下部フィルタ（８）が設けられているパイプ（１）を備えることを特徴とする食材ケース。
【請求項２】
前記上部フィルタ（３）には第１の折縁（４）が設けられており、前記第１の折縁（４）は前記パイプ（１）に装着されており、前記下部フィルタ（８）には折縁（９）が設けられており、前記折縁（９）は前記パイプ（１）に装着されていることを特徴とする請求項１に記載の食材ケース。
【請求項３】
前記第１の折縁（４）は前記パイプ（１）の外壁面に折り曲げられるとともに、下部開口部（５）にまで延在しており、前記上部フィルタ（３）には第２の折縁（６）が設けられており、前記第２の折縁（６）は第１の折縁（４）に接合するとともに、パイプ（１）の外壁面に折れ曲がっており、前記下部フィルタ（８）には折縁（９）が設けられ、前記折縁（９）は第２の折縁（６）に折れ曲がっており、前記第２の折縁（６）には前記パイプ（１）に嵌め込まれている止めフープ（１０）が設けられていることを特徴とする請求項２に記載の食材ケース。
【請求項４】
前記上部フィルタ（３）には第１の折縁（４）が設けられており、前記第１の折縁（４）はパイプ（１）の外壁面に折り曲げられており、前記下部フィルタ（８）には折縁（９）が設けられており、前記折縁（９）はパイプ（１）の外壁面に折り曲げられており、パイプ（１）の外壁には第１の折縁（４）および折縁（９）に嵌め込まれている止めフープ（１０）が設けられていることを特徴とする請求項２に記載の食材ケース。
【請求項５】
前記パイプ（１）は、嵌合可能な内側パイプ（１１）と、外側パイプ（１２）とを備えており、前記上部フィルタ（３）は前記内側パイプ（１１）の上部開口部（２）に設けられており、前記下部フィルタ（８）は前記外側パイプ（１２）の下部開口部５に設けられていることを特徴とする請求項２に記載の食材ケース。
【請求項６】
前記上部フィルタ（３）には第１の折縁（４）が設けられており、前記第１の折縁（４）は共に嵌合されている内側パイプ（１１）と外側パイプ（１２）との間に設けられており、前記下部フィルタ（８）には折縁（９）が設けられており、前記折縁（９）は前記外側パイプ（１２）の外壁上に折り曲げられており、前記外側パイプ（１２）の外壁には前記折縁（９）に嵌め込まれている止めフープ（１０）が設けられていることを特徴とする請求項５に記載の食材ケース。
【請求項７】
前記止めフープ（１０）がＣ型の弾性止めリングであることを特徴とする請求項１〜６のいずれか一項に記載の食材ケース。
【請求項８】
前記止めフープ（１０）が管状体であることを特徴とする請求項１〜６のいずれか一項に記載の食材ケース。
【請求項９】
前記止めフープ（１０）が弾性リングであることを特徴とする請求項１〜６のいずれか一項に記載の食材ケース。
【請求項１０】
前記パイプ（１）が合成樹脂製のパイプであり、前記上部フィルタ（３）および下部フィルタ（８）は前記合成樹脂製のパイプの両端面にて、溶けた状態になるまで加熱された状態で合成樹脂製のパイプの両端面に溶着されていることを特徴とする請求項１に記載の食材ケース。
【考案の詳細な説明】
【技術分野】
【０００１】
本考案は、調理器具内に入れる、孔付きの台座または容器の技術分野に関する。
【背景技術】
【０００２】
従来の食材パックには、茶葉、コーヒーパウダー、山椒、菊の花、各種食用の調味材料または食用薬剤などがあり、使用に際しては、これを容器内に直接入れて、食物または水と一緒に煮出すことが多く、これにより食物または水中に食材の味が溶け出すが、食材の離散性により、煮出した後に生じる食材カスが食物または水中に分散してしまい、飲食に影響を及ぼす。ところで、例えばティーバッグのように、食材カスを集めるべく食材をフィルタの中に入れて包むこともあるが、このようなティーバッグは直接水に入れて煮出し抽出することが多く、食材における有効成分の滲出は不十分で、数回抽出しなければならない。例えばティーバッグのように、フィルタで食材を包んだ後、高温の液体が流動するパイプの中に置き、パイプ内で高温で流動する液体により煮出しを行うと、ティーバッグが構造的に柔らかく、剛性を持たず、浸透性が多方向であることから、液体が一定方向で流動するパイプ内で多くの液体が側面から流れ込み、抽出の効果は悪くなってしまう。
【先行技術文献】
【特許文献】
【０００３】
【特許文献１】中華人民共和国特許第２００４１００２７１６４．Ｘ号
【考案の概要】
【考案が解決しようとする課題】
【０００４】
本考案の目的は、パイプ容器の壁面に係合し、液体をすべて一定方向から通過させる、食材を収容可能な食材ケースを提供するところにある。食材ケースは食材を収容してパッキングするのに便利である。
【課題を解決するための手段】
【０００５】
本考案の目的を達成するために、前記食材ケースは、上部開口部に上部フィルタが設けられ、下部開口部に下部フィルタが設けられているパイプを備えている。
【考案の効果】
【０００６】
フィルタは柔らかいが、パイプが剛性構造体であるため、フィルタをパイプに装着した後、全体が剛性構造体となるものである。またパイプは容器内壁の形状に応じて設計することができる。パイプは容器内壁に係合させることができるので、パイプ内を高温で流動する液体が通過したとき、液体のすべてがフィルタを通過させるようにすることができ、フィルタの間の食材は十分に、そして完全に煮出しが行われて、有効成分を抽出することができる。
【図面の簡単な説明】
【０００７】
【図１】本考案の食材ケースの実施例１の構造図である。
【図２】図１における上部フィルタと下部フィルタとの間に一定の距離を持たせた構造図である。
【図３】図１、２の平面図である。
【図４】図１における止めフープがＣ型の弾性止めリングである構造図である。
【図５】図４における上部フィルタと下部フィルタとの間に一定の距離を持たせた構造図である。
【図６】図４、５の平面図である。
【図７】本考案の食材ケースの実施例２の構造図である。
【図８】図７における上部フィルタと下部フィルタとの間に一定の距離を持たせた構造図である。
【図９】図７、８におけるＡ−Ａの断面図である。
【図１０】本考案の食材ケースの実施例３の構造図である。
【図１１】図１０における上部フィルタと下部フィルタとの間に一定の距離を持たせた構造図である。
【図１２】図１０、１１の平面図である。
【図１３】図１０における止めフープが管状体である構造図である。
【図１４】図１３における上部フィルタと下部フィルタとの間に一定の距離を持たせた構造図である。
【図１５】実施例１の食材ケースを漏斗中に入れた使用状態概略図である。
【図１６】本考案の食材ケースの実施例４の構造図である。
【考案を実施するための形態】
【０００８】
以下にて図面を参照しつつ、本考案の食材ケースの具体的な実施例を説明する。
【０００９】
図中に示すように、本考案の食材ケースは、上部開口部２に上部フィルタ３が設けられ、下部開口部５に下部フィルタ８が設けられているパイプ１を備えている。前記上部フィルタ３には第１の折縁４が設けられており、前記第１の折縁４は前記パイプ１に固定されており、前記下部フィルタ８には折縁９が設けられており、前記折縁９は前記パイプ１に固定されている。フィルタは柔軟性を備えており、単純にフィルタで食材を包んで食材パックとした場合、食材パックは全体的に柔らかい。パイプは剛性を備えており、上部フィルタ３が第１の折縁４により、下部フィルタ８が折縁９により前記パイプ１に装着された後は、全体が剛性構造体となり、包装ケースの剛性特長を備えつつ、食材パックの柔軟性および濾過の特長を備えて、食材ケースを形成することになる。
【００１０】
図１〜６は本考案の実施例１にて説明する食材ケースであって、パイプ１と、上部開口部２と、上部フィルタ３と、第１の折縁４と、下部開口部５と、第２の折縁６と、下部フィルタ８と、折縁９と、止めフープ１０とを備えている。
【００１１】
図１、２、３中に示すように、前記パイプ１は合成樹脂製の円筒パイプである。前記パイプ１の上部開口部２ には上部フィルタ３が設けられ、前記パイプ１の下部開口部５には下部フィルタ８が設けられている。前記上部フィルタ３および下部フィルタ８の直径は合成樹脂製の円筒パイプの管径よりも大きい。
【００１２】
前記上部フィルタ３には第１の折縁４が設けられている。上部フィルタ３が上部開口部２を覆ったとき、パイプ口面部分が平面状の構造となることにより、液体が均等に通過できる。前記第１の折縁４は前記パイプ１の内壁面を折れ曲がるように周回している。上部フィルタ３は十分な大きさがあり、しかも下部開口部５まで延在していなければならない。前記上部フィルタ３には第２の折縁６が設けられ、前記第２の折縁６は第１の折縁４に接合するとともに、パイプ１の外壁面に折れ曲がっており、前記下部フィルタ８には折縁９が設けられ、前記折縁９は第２の折縁６上に折れ曲がっており、前記第２の折縁６には前記パイプ１に嵌め込まれている止めフープ１０が設けられている。食材７がパイプ１に収容されたとき、上下は上部フィルタ３および下部フィルタ８、周囲はパイプ１によって食材７はパイプ１内に閉じ込められるため、食材７は漏れなくなる。使用に際しては、図１５に示すように、この食材を収容した食材ケースを、例えば中国特許文献における、特許番号が２００４１００２７１６４．Ｘ、名称が煮出し飲料ポットであるポット内の漏斗中に入れて、沸騰したお湯または蒸気を漏斗の下方から通過させるものであるが、湯・蒸気の混合物はまず下部フィルタ８に進入した後、食材７に達して、上部フィルタ３を通過して流れ出る。図中矢印で示すように、このとき出てきたものは食材７の飲料であって、食材カスは食材ケース内に残る。パイプ１と漏斗の側壁面との間はほとんど密着しているので、水は両者の間の隙間を通過することはできず、仮にわずかに通過したとしても、量はごくわずかである。もしパイプ１の両端が漏斗中に密封密着している場合、水はすべて上部フィルタ３と下部フィルタ８を通過することになる。交換する場合、食材を収容している元の食材ケースを取り出して、食材を収容している新たな食材ケースを入れて、引き続き食材飲料を煮出すだけであるので、便利である。
【００１３】
図４、５、６中に示すように、もしパイプ１中に収容してある食材７の量が多めの場合、上部フィルタ３と下部フィルタ８との間に相対的に一定の距離を持たせておく。このとき下部フィルタ８は下部開口部５の平面上を覆っていないので、パイプ１中に収容されている食材７は両辺に向かって膨張する。図５における破線で示すように、このときに膨張して来た部分を利用してパイプ１と漏斗との間を適度に密封すると同時に、両者の間の隙間を介して膨張部分中の食材を水が通過し、それによって通過及び煮出し効果をもたらすことができる。
【００１４】
本実施例にて食材７を収容するとき、まず上部フィルタ３を下部開口部５から上部開口部２まで沈み込ませて、食材７をパイプ１中に入れて、上部フィルタ３が開いて上部開口部２内よりも大きくなった部分がパイプ１の内壁面に折れ曲がり、第１の折縁４が形成される。食材７がいっぱいまで収容された後、第１の折縁４の下部開口部５に突出した部分をパイプ１の外壁面に折り返して、第２の折縁６が形成される。下部フィルタ８が下部開口部５の平面上を覆い、止めフープ１０を下部開口部５の方向に嵌め込んで、下部フィルタ８の下部開口部５よりも大きな部分が第２の折縁６に折れ曲り、折縁９が形成される。このとき第２の折縁６には前記パイプ１に嵌め込まれている止めフープ１０が設けられることになる。止めフープ１０により、上部フィルタ３および下部フィルタ８がパイプ１に固定される。構造が簡単であり、食材７の収容パッキングが便利である。
【００１５】
下部フィルタ８と止めフープ１０のパイプ１上における相対位置とを調節することで、パイプの容積を増大させることができるので、それによって食材の収容量を決定することになる。しかも食材を煮出すとき、食材によっては煮出しの後に膨張するが、止めフープ１０は、下部フィルタ８の折縁９上でパイプ１と相対的に適度に摺動するので、食材の膨張によるフィルタへの張力を低減することができる。
【００１６】
図７、８、９は本考案の実施例２にて説明する食材ケースであって、パイプ１と、上部開口部２と、上部フィルタ３と、第１の折縁４と、下部開口部５と、下部フィルタ８と、折縁９と、止めフープ１０とを備えている。
【００１７】
前記食材ケースは、合成樹脂製の円筒パイプであるパイプ１を備えている。前記パイプ１の上部開口部２には上部フィルタ３が設けられ、パイプ１の下部開口部５には下部フィルタ８が設けられている。前記上部フィルタ３および下部フィルタ８の直径は合成樹脂製の円筒パイプの管径よりも大きい。
【００１８】
前記上部フィルタ３には第１の折縁４が設けられており、前記第１の折縁４はパイプ１の外壁面に折り曲げられており、前記下部フィルタ８には折縁９が設けられており、前記折縁９はパイプ１の外壁面に折り曲げられており、パイプ１の外壁には第１の折縁４および折縁９に嵌め込まれている止めフープ１０が設けられている。本実施例にて説明する止めフープ１０は二本であり、装着時には、まず上部フィルタ３でパイプ１を覆い、止めフープ１０を上部開口部２の方向に嵌め込み、上部フィルタ３の上部開口部２よりも大きな部分がパイプ１の外壁面に折れ曲がり、第１の折縁４が形成されると同時に、第１の折縁４が止めフープ１０によりパイプ１の外壁面に嵌め込まれる。食材７をパイプ１内に収容し、その後下部フィルタ８で下部開口部５を覆い、さらに二本目の止めフープ１０を下部開口部５の方向に嵌め込み、下部フィルタ８の下部開口部５よりも大きな部分がパイプ１の外壁面に折れ曲がり、折縁９が形成される。同様に簡単な構造で、食材の収容パッキングが便利となる。
【００１９】
本食材ケースにて、パイプ１内に収容される食材の量はパイプ１の容積よりも少なくても、パイプ１の容積に等しくしてもよく、場合によってはパイプ１の容積よりも適度に多くすることもできる。食材７の量がパイプ１の容積よりも多くなる場合には、上部フィルタ３および下部フィルタ８に口部から適度に距離を持たせることになるが、折縁はやはり外管壁に折り曲げられる。もしパイプ１内に収容される食材７の量がパイプ１の容積に等しい場合には、食材７を煮出すときの水蒸気での抽出にて膨張したとき、上部フィルタ３および下部フィルタ８を口部から離れる方向に移動し、止めフープ１０と折縁との間の摩擦力が折縁とパイプ外壁面との間の摩擦力よりも大きくし、このときの止めフープ１０が折縁に嵌め込まれて折縁とともに口部から離れる方向に一定距離移動するように設計するだけで、一定の伸縮空間を持たせて、さらには膨張によりフィルタが破れるのを防止することができる。
【００２０】
図１０〜１４は本考案の実施例３にて説明する食材ケースであって、パイプ１と、上部開口部２と、上部フィルタ３と、第１の折縁４と、下部開口部５と、第２の折縁６と、下部フィルタ８と、折縁９と、止めフープ１０と、内側パイプ１１と、外側パイプ１２と、上部開口部２と、下部開口部５とを備えている。
【００２１】
前記食材ケースは、上部開口部２に上部フィルタ３が設けられ、下部開口部５に下部フィルタ８が設けられているパイプ１を備えている。
【００２２】
前記パイプ１は、嵌合可能な内側パイプ１１と、外側パイプ１２とを備えており、前記上部フィルタ３は前記内側パイプ１１の上部開口部２に設けられており、前記下部フィルタ８は前記外側パイプ１２の下部開口部５に設けられている。
【００２３】
前記上部フィルタ３には第１の折縁４が設けられており、前記第１の折縁４は共に嵌合されている内側パイプ１１と外側パイプ１２との間に設けられており、前記下部フィルタ８には折縁９が設けられており、前記折縁９は前記外側パイプ１２の外壁上に折り曲げられており、前記外側パイプ１２の外壁には前記折縁９に嵌め込まれている止めフープ１０が設けられている。
【００２４】
内側パイプ１１および外側パイプ１２の相対的な位置を調節することで、パイプの容積を増大させることができ、それによって食材の収容量を決定することができる。しかも食材を煮出すとき、食材によっては煮出しの後に膨張するが、内側パイプ１１および外側パイプ１２は相対的に適度に距離を持たせることができるので、食材の膨張によるフィルタへの張力を低減することができる。
【００２５】
本実施例にて食材７を収容するとき、まず上部フィルタ３で内側パイプ１１の上部開口部２を覆い、外側パイプ１２を上部開口部２の方向に嵌合させて、上部フィルタ３の内側パイプ１１よりも大きな部分が内側パイプ１１で折れ曲がり、第１の折縁４を形成する。食材７が内側パイプ１１内に収容された後、下部フィルタ８が外側パイプ１２の下部開口部５を覆い、さらに止めフープ１０が下部開口部５の方向に嵌め込まれて、下部フィルタ８の下部開口部５よりも大きな部分が外側パイプ１２の外壁面に折れ曲がり、折縁９が形成される。同様に簡単な構造で、食材の収容パッキングが便利となる。
【００２６】
前記止めフープ１０はＣ型の弾性止めリングである。弾性の針金を湾曲させて成型され、パイプ上に嵌め込まれて内側に向けて嵌着させる技術効果を備えているものの、折縁にて嵌め込まれて外れなくなるようなことはなく、針金表面の円形曲面によりパイプへの嵌め込みが容易になる。
【００２７】
止めフープ１０は管状体としてもよい。管状体は剛性を備え、一定の長さを持ち、折縁をパイプに密着させやすくするために、パイプとの間に大きめの接触面を有している。
【００２８】
止めフープ１０は弾性リングとしてもよい。耐熱性のラバー材料により製作され、折縁をパイプにしっかりと固定できるとともに、パイプを例えば漏斗といった流体管路の内壁面との間で密着しやすくしている。
【００２９】
図１６に示すように、パイプ１は合成樹脂製のパイプであり、前記上部フィルタ３および下部フィルタ８は前記合成樹脂製のパイプの両端面にて、溶けた状態になるまで加熱された状態で合成樹脂製のパイプの両端面に溶着されている。前記合成樹脂製のパイプは円形であり、それに対応する上部フィルタ３および下部フィルタ８は合成樹脂製のパイプの直径と同径の円形である。製造時には、まず一方のフィルタを合成樹脂製のパイプの端面に貼り付けるが、この端面を、フィルタとともに２００℃前後まで加熱してもよい。合成樹脂の融点の違いにより、合成樹脂製のパイプの端面を溶融状態にし、冷却した後にフィルタが合成樹脂製のパイプのこの端面に溶着される。そして食材７を合成樹脂製のパイプ内に収容し、同様に、他方のフィルタを合成樹脂製のパイプの他方の端面に溶着すればよい。接着剤で合成樹脂製のパイプとフィルタとの間とを接着するよりも迅速で、簡単であり、食材ケース全体の表面を平坦に保つことができ、この構造の食材ケースは使い捨て使用されるので、構造が簡単で、製造しやすい。
【符号の説明】
【００３０】
１  パイプ
２  上部開口部
３  上部フィルタ
４  第１の折縁
５  下部開口部
６  第２の折縁
７  食材
８  下部フィルタ
９  折縁
１０  止めフープ
１１  内側パイプ
１２  外側パイプ
【図１】
0003157538.tif 000003
【図２】
0003157538.tif 000004
【図３】
0003157538.tif 000005
【図４】
0003157538.tif 000006
【図５】
0003157538.tif 000007
【図６】
0003157538.tif 000008
【図７】
0003157538.tif 000009
【図８】
0003157538.tif 000010
【図９】
0003157538.tif 000011
【図１０】
0003157538.tif 000012
【図１１】
0003157538.tif 000013
【図１２】
0003157538.tif 000014
【図１３】
0003157538.tif 000015
【図１４】
0003157538.tif 000016
【図１５】
0003157538.tif 000017
【図１６】
0003157538.tif 000018
【手続補正書】
【提出日】平成21年12月1日(2009.12.1)
【手続補正１】
【補正対象書類名】実用新案登録請求の範囲
【補正対象項目名】請求項７
【補正方法】変更
【補正の内容】
【請求項７】
前記止めフープ（１０）がＣ型の弾性止めリングであることを特徴とする請求項３、４、６のいずれか一項に記載の食材ケース。
【手続補正２】
【補正対象書類名】実用新案登録請求の範囲
【補正対象項目名】請求項８
【補正方法】変更
【補正の内容】
【請求項８】
前記止めフープ（１０）が管状体であることを特徴とする請求項３、４、６のいずれか一項に記載の食材ケース。
【手続補正３】
【補正対象書類名】実用新案登録請求の範囲
【補正対象項目名】請求項９
【補正方法】変更
【補正の内容】
【請求項９】
前記止めフープ（１０）が弾性リングであることを特徴とする請求項３、４、６のいずれか一項に記載の食材ケース。